(57)【要約】【課題】安全性の向上を図ることができる蓄電装置を提供する。【解決手段】電極体１６０を有する蓄電素子１００を備える蓄電装置１０であって、電極体１６０を流れる電流の経路であって蓄電素子１００の外部側に配置される第一導電部及び第二導電部（蓄電素子１００ａの正極端子１２０及び蓄電素子１００ｂの負極端子１３０）と、第一導電部及び第二導電部の間の第三導電部（中間部２３０）に設けられ、第三導電部の導通状態を遮断するヒューズ部２３１と、ヒューズ部２３１における導通状態が遮断された場合においても、第一導電部及び第二導電部の間の導通状態を維持する抵抗体３００とを備える。【選択図】図３
2020053152.tif 000002
【特許請求の範囲】
【請求項１】
電極体を有する蓄電素子を備える蓄電装置であって、
前記電極体を流れる電流の経路であって前記蓄電素子の外部側に配置される第一導電部及び第二導電部と、
前記第一導電部及び前記第二導電部の間の第三導電部に設けられ、前記第三導電部の導通状態を遮断するヒューズ部と、
前記ヒューズ部における前記導通状態が遮断された場合においても、前記第一導電部及び前記第二導電部の間の導通状態を維持する抵抗体と
を備える蓄電装置。
【請求項２】
前記第三導電部は、前記蓄電素子の電極端子に接続されるバスバーの一部であり、
前記抵抗体は、前記バスバーの前記第三導電部とは異なる位置に接続されている
請求項１に記載の蓄電装置。
【請求項３】
前記第三導電部は、前記蓄電素子の電極端子に接続されるバスバーであり、
前記抵抗体は、前記電極端子に接続されている
請求項１に記載の蓄電装置。
【請求項４】
前記バスバーは、凹部を有し、
前記抵抗体は、少なくとも一部が、前記凹部内に配置されている
請求項２または３に記載の蓄電装置。
【請求項５】
前記第一導電部及び前記第二導電部の一方は、前記蓄電素子の電極端子であり、他方は、前記蓄電装置の外部端子である
請求項１〜４のいずれか１項に記載の蓄電装置。
【発明の詳細な説明】
【技術分野】
【０００１】
本発明は、ヒューズ部を備える蓄電装置に関する。
【背景技術】
【０００２】
従来、ヒューズ部を備える蓄電素子が知られている。例えば、特許文献１には、セル内部及びセル外部にヒューズ部を備えることによって、短絡発生によるセル内部の非正常な破壊を防止して安全性の向上を図る二次電池（蓄電素子）が開示されている。
【先行技術文献】
【特許文献】
【０００３】
【特許文献１】特開２０１５−５４９２号公報
【発明の概要】
【発明が解決しようとする課題】
【０００４】
しかしながら、上記従来の構成では、ヒューズ部が溶断した場合に、電流の経路が遮断されることで、蓄電素子の内部に電気容量が残ったままとなり、蓄電素子が不安定な状態となってしまうおそれがある。つまり、蓄電素子は、蓄電装置（組電池、モジュール）で使用されることが多く、外部衝撃等に起因して、外部短絡が発生することがある。外部短絡が発生すると、蓄電素子に短絡電流が流れて蓄電素子が不安全な状態となるために、ヒューズで電流経路を遮断する。しかし、ヒューズによる電流経路の遮断を行っても、外部衝撃等を受けた蓄電素子に電気容量が残ったままだと、別の不安全な事象が生じるおそれがある。また、蓄電素子の内部でヒューズ部が溶断した場合には、蓄電素子の内部で火花が発生するおそれがある。このように、本願発明者は、上記従来の構成においても、安全性の向上をさらに図るべき点があることを見出した。
【０００５】
本発明は、上記問題に鑑みてなされたものであり、安全性の向上を図ることができる蓄電装置を提供することを目的とする。
【課題を解決するための手段】
【０００６】
上記目的を達成するために、本発明の一態様に係る蓄電装置は、電極体を有する蓄電素子を備える蓄電装置であって、前記電極体を流れる電流の経路であって前記蓄電素子の外部側に配置される第一導電部及び第二導電部と、前記第一導電部及び前記第二導電部の間の第三導電部に設けられ、前記第三導電部の導通状態を遮断するヒューズ部と、前記ヒューズ部における前記導通状態が遮断された場合においても、前記第一導電部及び前記第二導電部の間の導通状態を維持する抵抗体とを備える。
【０００７】
これによれば、蓄電装置は、蓄電素子の外部側の第一導電部及び第二導電部と、第一導電部及び第二導電部の間の第三導電部の導通状態を遮断するヒューズ部と、当該導通状態が遮断された場合でも第一導電部及び第二導電部の間の導通状態を維持する抵抗体と、を備えている。このように、ヒューズ部によって導通状態が遮断された場合でも、抵抗体に電流が流れて蓄電素子の電気容量を放電させることができるため、安全性の向上を図ることができる。また、ヒューズ部が蓄電素子の外部側に配置されるため、ヒューズ部に起因して蓄電素子の内部で火花が発生するようなことを防ぐことができ、安全性の向上を図ることができる。
【０００８】
また、前記第三導電部は、前記蓄電素子の電極端子に接続されるバスバーの一部であり、前記抵抗体は、前記バスバーの前記第三導電部とは異なる位置に接続されていることにしてもよい。
【０００９】
これによれば、第三導電部は、バスバーの一部であり、抵抗体は、当該バスバーの第三導電部とは異なる位置に接続されている。このように、バスバーにヒューズ部を設け、かつ、当該バスバーに抵抗体を接続することで、簡易な構成で、安全性の向上を図ることができる。特に、バスバーとは異なる部材に抵抗体を接続する場合に比べ、蓄電装置の製造時等において、バスバーに抵抗体を接続した状態で取り扱うことができるため、蓄電装置の組立作業等を容易にすることができる。
【００１０】
また、前記第三導電部は、前記蓄電素子の電極端子に接続されるバスバーであり、前記抵抗体は、前記電極端子に接続されていることにしてもよい。
【００１１】
これによれば、第三導電部は、バスバーであり、抵抗体は、蓄電素子の電極端子に接続されている。このように、バスバーにヒューズ部を設け、かつ、蓄電素子の電極端子に抵抗体を接続することで、簡易な構成で、安全性の向上を図ることができる。特に、バスバーに抵抗体を接続するのが困難な場合でも、蓄電素子の電極端子に抵抗体を直接接続することで、別部材を用いる必要がないため、蓄電装置を簡易に構成することができる。
【００１２】
また、前記バスバーは、凹部を有し、前記抵抗体は、少なくとも一部が、前記凹部内に配置されていることにしてもよい。
【００１３】
これによれば、抵抗体は、少なくとも一部がバスバーの凹部内に配置されている。このように、バスバーの凹部内に抵抗体を配置することで、省スペース化を図りつつ、安全性の向上を図ることができる。
【００１４】
また、前記第一導電部及び前記第二導電部の一方は、前記蓄電素子の電極端子であり、他方は、前記蓄電装置の外部端子であることにしてもよい。
【００１５】
これによれば、蓄電素子の電極端子及び蓄電装置の外部端子が、第一導電部及び第二導電部に対応するため、ヒューズ部及び抵抗体は、蓄電素子の電極端子と蓄電装置の外部端子との間に配置されることとなる。これにより、蓄電装置内の蓄電素子の配置または接続形態等にかかわらず、蓄電装置を流れる主電流の経路に、ヒューズ部及び抵抗体が配置されることとなるため、簡易な構成で、安全性の向上を図ることができる。
【００１６】
なお、本発明は、このような蓄電装置として実現することができるだけでなく、ヒューズ部が設けられた第三導電部及び抵抗体としても実現することができる。
【発明の効果】
【００１７】
本発明における蓄電装置によれば、安全性の向上を図ることができる。
【図面の簡単な説明】
【００１８】
【図１】実施の形態に係る蓄電装置の外観を示す斜視図である。
【図２】実施の形態に係る蓄電素子の構成を示す分解斜視図である。
【図３】実施の形態に係るバスバー及び抵抗体の構成を示す平面図である。
【図４】実施の形態の変形例１に係るバスバー及び抵抗体の構成を示す平面図である。
【図５】実施の形態の変形例１に係るバスバー及び抵抗体の構成を示す平面図である。
【図６】実施の形態の変形例２に係るバスバー及び抵抗体の構成を示す平面図である。
【図７】実施の形態の変形例３に係るバスバー及び抵抗体の構成を示す平面図である。
【図８Ａ】実施の形態の変形例４に係るバスバー及び抵抗体を備える蓄電装置の構成を示す概念図である。
【図８Ｂ】実施の形態の変形例４に係るバスバー及び抵抗体を備える蓄電装置の構成を示す概念図である。
【図８Ｃ】実施の形態の変形例４に係るバスバー及び抵抗体を備える蓄電装置の構成を示す概念図である。
【図８Ｄ】実施の形態の変形例４に係るバスバー及び抵抗体を備える蓄電装置の構成を示す概念図である。
【発明を実施するための形態】
【００１９】
以下、図面を参照しながら、本発明の実施の形態（及びその変形例）に係る蓄電装置について説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図は、模式図であり、寸法等は必ずしも厳密に図示したものではない。さらに、各図において、同一または同様な構成要素については同じ符号を付している。
【００２０】
また、以下の説明及び図面中において、１つの蓄電素子における電極端子（つまり、正極端子及び負極端子）の並び方向、または、蓄電素子の容器の短側面の対向方向をＸ軸方向と定義する。また、蓄電素子の並び方向、蓄電素子の容器の長側面の対向方向、当該容器の厚さ方向、または、バスバーの延設方向をＹ軸方向と定義する。また、蓄電装置の外装体本体と蓋との並び方向、蓄電素子の容器本体と蓋との並び方向、蓄電素子の容器の短側面の長手方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向及びＺ軸方向についても同様である。
【００２１】
（実施の形態）
［１  蓄電装置１０の全般的な説明］
まず、本実施の形態における蓄電装置１０の全般的な説明を行う。図１は、本実施の形態に係る蓄電装置１０の外観を示す斜視図である。なお、同図は、外装体６００を透視して外装体６００内方を示した図となっており、外装体６００（及び２つの外部端子６１０）は破線で示している。
【００２２】
蓄電装置１０は、外部からの電気を充電し、また外部へ電気を放電することができる装置である。例えば、蓄電装置１０は、電力貯蔵用途や電源用途などに使用される電池モジュール（組電池）である。具体的には、蓄電装置１０は、例えば、電気自動車（ＥＶ）、ハイブリッド電気自動車（ＨＥＶ）またはプラグインハイブリッド電気自動車（ＰＨＥＶ）等の自動車、自動二輪車、ウォータークラフト、スノーモービル、農業機械、建設機械などの移動体の駆動用またはエンジン始動用のバッテリ等として用いられる。
【００２３】
図１に示すように、蓄電装置１０は、複数の蓄電素子１００（本実施の形態では、６つの蓄電素子１００ａ〜１００ｆ）と、バスバー２００、４００及び５００と、抵抗体３００と、これら蓄電素子１００及びバスバー２００等を収容する外装体６００とを備えている。なお、蓄電装置１０は、蓄電素子１００間に配置されるスペーサ、蓄電素子１００を拘束する拘束部材やエンドプレート、バスバー２００等の位置決めを行うバスバーフレーム、蓄電素子１００の充電状態や放電状態を監視するための回路基板やリレー等の電気機器なども備えていてもよいが、これらの図示は省略し、詳細な説明も省略する。
【００２４】
外装体６００は、蓄電装置１０の外装体を構成する略直方体形状（箱形）の容器（モジュールケース）である。つまり、外装体６００は、蓄電素子１００及びバスバー２００等の外方に配置され、これら蓄電素子１００及びバスバー２００等を所定の位置に配置し、衝撃などから保護する。また、外装体６００は、例えば、ポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁材料により構成されている。外装体６００は、これにより、蓄電素子１００及びバスバー２００等が外部の金属部材などに接触することを回避する。
【００２５】
具体的には、外装体６００は、箱形の本体部分と蓋部分とを有しており、外装体６００内に蓄電素子１００及びバスバー２００等が収容される。また、外装体６００には、２つの外部端子６１０が設けられている。この２つの外部端子６１０は、蓄電装置１０の外部からの電気を充電し、また蓄電装置１０の外部へ電気を放電するための正極側及び負極側の外部接続端子であり、アルミニウムまたはアルミニウム合金等の金属製の導電部材等で形成されている。なお、外装体６００は、蓄電素子１００間を仕切る仕切板等を有していてもよい。また、外装体６００の形状及び材質は、上記には限定されない。
【００２６】
蓄電素子１００は、電気を充電し、また、電気を放電することのできる二次電池（単電池）であり、より具体的には、リチウムイオン二次電池などの非水電解質二次電池である。本実施の形態では、６個の扁平な直方体形状（角形）の蓄電素子１００（蓄電素子１００ａ〜１００ｆ）が、直列に接続されて配置されている。
【００２７】
なお、蓄電素子１００の個数は６個に限定されず、他の複数個数または１個であってもよい。また、蓄電素子１００の形状は、直方体形状（角形）には限定されず、円柱形状や長円柱形状等であってもよいし、ラミネート型の蓄電素子とすることもできる。また、蓄電素子１００は、非水電解質二次電池には限定されず、非水電解質二次電池以外の二次電池であってもよいし、キャパシタであってもよい。また、蓄電素子１００は、二次電池ではなく、使用者が充電をしなくても蓄えられている電気を使用できる一次電池であってもよい。さらに、蓄電素子１００は、固体電解質を用いた電池であってもよい。この蓄電素子１００の構成の詳細な説明については、後述する。
【００２８】
バスバー２００、４００及び５００は、複数の蓄電素子１００の上方に配置される部材である。バスバー２００、４００及び５００は、導電性の矩形状かつ平板状の部材であり、複数の蓄電素子１００同士、及び、端部の蓄電素子１００と外部端子６１０とを電気的に接続する。例えば、バスバー２００、４００及び５００は、アルミニウムまたはアルミニウム合金等の金属製の導電部材等で形成されている。具体的には、バスバー２００及び４００は、隣接する蓄電素子１００において、一の蓄電素子１００の正極端子または負極端子と、他の蓄電素子１００の負極端子または正極端子とを電気的に接続する。また、バスバー５００は、端部の蓄電素子１００の正極端子または負極端子と、正極側または負極側の外部端子６１０とを電気的に接続する。なお、図１では、バスバー５００は、外部端子６１０との接続部分を省略して図示している。
【００２９】
例えば、バスバー２００は、一端が蓄電素子１００ａの正極端子に溶接等により接合され、他端が蓄電素子１００ｂの負極端子に溶接等により接合されることで、蓄電素子１００ａの正極端子と蓄電素子１００ｂの負極端子とを電気的に接続する。また、バスバー４００は、一端が蓄電素子１００ｂの正極端子に溶接等により接合され、他端が蓄電素子１００ｃの負極端子に溶接等により接合されることで、蓄電素子１００ｂの正極端子と蓄電素子１００ｃの負極端子とを電気的に接続する。同様に、バスバー４００は、蓄電素子１００ｃ〜蓄電素子１００ｆについても、正極端子と負極端子とを順次接続する。このようにして、バスバー２００及び４００は、複数の蓄電素子１００（蓄電素子１００ａ〜１００ｆ）を直列に接続する。さらに、バスバー５００は、一端が蓄電素子１００ａの負極端子に溶接等により接合され、他端が負極側の外部端子６１０にボルト締結等により接合されることで、蓄電素子１００ａの負極端子と負極側の外部端子６１０とを電気的に接続する。同様に、バスバー５００は、蓄電素子１００ｆの正極端子と正極側の外部端子６１０とを電気的に接続する。
【００３０】
なお、バスバー２００、４００及び５００の材質は特に限定されず、例えば、銅、銅合金、ステンレス鋼等の金属、または、金属以外の導電性の部材で形成されていてもよい。また、バスバー２００、４００及び５００の形状も、特に限定されない。また、バスバー２００及び４００は、複数の蓄電素子１００を並列に接続するように配置されていてもかまわない。
【００３１】
また、バスバー２００には、抵抗体３００が接続されている。抵抗体３００は、バスバー２００（具体的には、後述するバスバー２００のヒューズ部２３１）よりも抵抗値が大きい部材である。これらバスバー２００及び抵抗体３００の構成の詳細な説明については、後述する。
【００３２】
［２  蓄電素子１００の詳細な説明］
次に、蓄電素子１００（蓄電素子１００ａ〜１００ｆ）について、詳細に説明する。なお、蓄電素子１００ａ〜１００ｆは、全て同様の構成を有するため、以下では、蓄電素子１００として説明する。図２は、本実施の形態に係る蓄電素子１００の構成を示す分解斜視図である。
【００３３】
図２に示すように、蓄電素子１００は、容器本体１１１及び蓋体１１２からなる容器１１０と、正極端子１２０と、負極端子１３０とを備えており、容器１１０の内方には、正極集電体１４０と、負極集電体１５０と、電極体１６０とが収容されている。なお、蓋体１１２と正極端子１２０及び正極集電体１４０との間には、絶縁性及び気密性を高めるためにガスケット等が配置されているが、同図では省略して図示している。負極側についても、同様である。また、容器１１０の内部には、電解液（非水電解質）が封入されているが、図示は省略する。なお、当該電解液としては、蓄電素子１００の性能を損なうものでなければその種類に特に制限はなく、様々なものを選択することができる。また、上記の構成要素の他、正極集電体１４０及び負極集電体１５０の側方に配置されるスペーサ、容器１１０内の圧力が上昇したときに当該圧力を開放するためのガス排出弁や電解液の注液部、または、電極体１６０等を包み込む絶縁フィルムなどが配置されていてもよい。
【００３４】
容器１１０は、矩形筒状で底を備える容器本体１１１と、容器本体１１１の開口を閉塞する板状部材である蓋体１１２とで構成されている。また、容器１１０は、電極体１６０等を内部に収容後、容器本体１１１と蓋体１１２とが溶接等されることにより、内部が密封される構造となっている。なお、容器本体１１１及び蓋体１１２の材質は特に限定されず、例えばステンレス鋼、アルミニウム、アルミニウム合金、鉄、メッキ鋼板など溶接可能な金属とすることができるが、樹脂を用いることもできる。
【００３５】
電極体１６０は、正極板と負極板とセパレータとが積層されて形成された蓄電要素（発電要素）である。ここで、電極体１６０が有する正極板は、アルミニウムまたはアルミニウム合金などの金属からなる長尺帯状の集電箔である正極基材層上に正極活物質層が形成されたものである。また、負極板は、銅または銅合金などの金属からなる長尺帯状の集電箔である負極基材層上に負極活物質層が形成されたものである。また、正極活物質層に用いられる正極活物質、負極活物質層に用いられる負極活物質としては、リチウムイオンを吸蔵放出可能なものであれば、適宜公知の材料を使用できる。
【００３６】
正極端子１２０は、電極体１６０の正極板に電気的に接続された電極端子であり、負極端子１３０は、電極体１６０の負極板に電気的に接続された電極端子である。つまり、正極端子１２０及び負極端子１３０は、電極体１６０に蓄えられている電気を蓄電素子１００の外部空間に導出し、また、電極体１６０に電気を蓄えるために蓄電素子１００の内部空間に電気を導入するための金属製の電極端子である。また、正極端子１２０及び負極端子１３０は、蓋体１１２に取り付けられている。具体的には、正極端子１２０は、軸部が蓋体１１２の貫通孔と正極集電体１４０の貫通孔とに挿入されて、かしめられることにより、正極集電体１４０とともに蓋体１１２に固定される。負極端子１３０についても、同様である。
【００３７】
なお、正極端子１２０の材質は限定されないが、例えば、電極体１６０の正極基材層と同様、アルミニウムまたはアルミニウム合金などの金属で形成されている。また、負極端子１３０についても、材質は限定されないが、例えば、軸部は、電極体１６０の負極基材層と同様、銅または銅合金などの金属で形成され、軸部以外の部分は、アルミニウムまたはアルミニウム合金などの金属で形成されている。
【００３８】
正極集電体１４０は、正極端子１２０と電極体１６０の正極板とに電気的に接続される導電性と剛性とを備えた部材である。また、負極集電体１５０は、負極端子１３０と電極体１６０の負極板とに電気的に接続される導電性と剛性とを備えた部材である。なお、正極集電体１４０の材質は限定されないが、例えば、電極体１６０の正極基材層と同様、アルミニウムまたはアルミニウム合金などの金属で形成されている。また、負極集電体１５０についても、材質は限定されないが、例えば、電極体１６０の負極基材層と同様、銅または銅合金などの金属で形成されている。
【００３９】
［３  バスバー２００及び抵抗体３００の詳細な説明］
次に、バスバー２００及び抵抗体３００について、詳細に説明する。図３は、本実施の形態に係るバスバー２００及び抵抗体３００の構成を示す平面図である。具体的には、図３の（ａ）は、図１に示されたバスバー２００及び抵抗体３００をＺ軸方向プラス側から見た上面図であり、図３の（ｂ）は、当該バスバー２００及び抵抗体３００をＸ軸方向プラス側から見た側面図である。
【００４０】
図３に示すように、バスバー２００は、第一端部２１０と、第二端部２２０と、中間部２３０とを有している。第一端部２１０は、バスバー２００のＹ軸方向マイナス側の端部に配置された矩形状かつ平板状の部位であり、蓄電素子１００ａの正極端子１２０に溶接等により接続（接合）されている。つまり、第一端部２１０は、蓄電素子１００ａの正極端子１２０に接続される部位（当該接続される箇所を含む部位）である。第二端部２２０は、バスバー２００のＹ軸方向プラス側の端部に配置された矩形状かつ平板状の部位であり、蓄電素子１００ｂの負極端子１３０に溶接等により接続（接合）されている。つまり、第二端部２２０は、蓄電素子１００ｂの負極端子１３０に接続される部位（当該接続される箇所を含む部位）である。中間部２３０は、第一端部２１０及び第二端部２２０の間に配置された平板状の部位である。
【００４１】
第一端部２１０と蓄電素子１００ａの正極端子１２０とを接続（接合）する手法は、抵抗溶接、レーザ溶接、超音波接合等、どのような溶接が用いられてもよいし、ねじ締結やかしめ接合等の機械的接合等が用いられてもよい。第二端部２２０と蓄電素子１００ｂの負極端子１３０とを接続（接合）する手法についても、同様である。
【００４２】
なお、蓄電素子１００ａの正極端子１２０は、第一導電部の一例であり、蓄電素子１００ｂの負極端子１３０は、第二導電部の一例であり、中間部２３０は、第三導電部の一例である。つまり、蓄電素子１００ａの正極端子１２０及び蓄電素子１００ｂの負極端子１３０は、電極体１６０を流れる電流の経路であって蓄電素子１００の外部側に配置される第一導電部及び第二導電部の一例である。また、中間部２３０は、蓄電素子１００の電極端子に接続されるバスバー２００の一部である第三導電部の一例である。このように、第一導電部、第三導電部及び第二導電部は、直列に連続して並んで配置されている。
【００４３】
ここで、電極体１６０を流れる電流とは、蓄電素子１００の充放電電流（主電流）である。つまり、第一導電部及び第二導電部は、蓄電装置１０を流れる充放電電流（主電流）の経路に配置されている。また、第一導電部及び第二導電部は、正極集電体１４０、負極集電体１５０及び電極体１６０のような蓄電素子１００の内部側の部位ではなく、正極端子１２０及び負極端子１３０という蓄電素子１００の外部側の部位（容器１１０の外部に配置される部位）である。なお、第一端部２１０及び第二端部２２０を、第一導電部及び第二導電部の一例としてもよい。
【００４４】
また、中間部２３０は、Ｙ軸方向中央部に、ヒューズ部２３１を有している。具体的には、中間部２３０のＹ軸方向中央部が、Ｘ軸方向プラス側及びマイナス側に凹むことで、他の部位よりも断面積が小さいヒューズ部２３１が形成されている。具体的には、ヒューズ部２３１は、中間部２３０のＸ軸方向の幅が小さくなることで、電流の流れる方向（Ｙ軸方向）と直交する平面（ＸＺ平面）での断面積が、中間部２３０の他の部位よりも小さくなっている部位である。これにより、ヒューズ部２３１は、バスバー２００に大電流が流れることで溶断し、中間部２３０の導通状態を遮断する。言い換えれば、ヒューズ部２３１は、第一導電部及び第二導電部の間の第三導電部に設けられ、第三導電部の導通状態を遮断する部位である。
【００４５】
なお、本実施の形態では、ヒューズ部２３１のＺ軸方向の幅（厚み）は、中間部２３０の他の部位と同じであるが、中間部２３０のＺ軸方向の幅についても、中間部２３０の他の部位よりも小さくなっていてもよい。また、ヒューズ部２３１の断面積が中間部２３０の他の部位よりも小さくなるのであれば、ヒューズ部２３１のＺ軸方向の幅は、中間部２３０の他の部位よりも大きくなっていてもよい。または、ヒューズ部２３１のＺ軸方向の幅が中間部２３０の他の部位よりも小さいことで、ヒューズ部２３１の断面積が中間部２３０の他の部位よりも小さくなるのであれば、ヒューズ部２３１のＸ軸方向の幅が中間部２３０の他の部位と同じか当該他の部位よりも大きくなっていてもよい。
【００４６】
また、本実施の形態では、中間部２３０は、Ｘ軸方向プラス側の面が、第一端部２１０及び第二端部２２０のＸ軸方向プラス側の面からＸ軸方向マイナス側に凹んだ位置に配置されている。つまり、Ｘ軸方向において中間部２３０の幅が第一端部２１０及び第二端部２２０の幅よりも狭くなることで、中間部２３０のＸ軸方向プラス側に、凹部２４０が形成されている。そして、この凹部２４０内に、抵抗体３００の少なくとも一部が配置されている。これにより、抵抗体３００は、中間部２３０（ヒューズ部２３１）と並列に並んで配置されている。本実施の形態では、凹部２４０内に、抵抗体３００のＺ軸方向マイナス側の部分が配置されている。なお、抵抗体３００の全部が、凹部２４０内に配置されることにしてもよい。
【００４７】
抵抗体３００は、リード３１０を介して、一端が第一端部２１０に接続され、他端が第二端部２２０に接続されている。具体的には、抵抗体３００のＹ軸方向マイナス側に接続されたリード３１０のＹ軸方向マイナス側の端部が、第一端部２１０に溶接等で接続（接合）され、抵抗体３００のＹ軸方向プラス側に接続されたリード３１０のＹ軸方向プラス側の端部が、第二端部２２０に溶接等で接続（接合）されている。このように、抵抗体３００は、バスバー２００の中間部２３０とは異なる位置、すなわち、バスバー２００のうちの中間部２３０を挟む第一端部２１０及び第二端部２２０に接続されている。つまり、抵抗体３００は、一端が蓄電素子１００ａの正極端子１２０に第一端部２１０を介して接続され、他端が蓄電素子１００ｂの負極端子１３０に第二端部２２０を介して接続されている。
【００４８】
なお、抵抗体３００は、リード３１０が第一端部２１０及び第二端部２２０の上面（Ｚ軸方向プラス側の面）に接続されて配置されているが、リード３１０が第一端部２１０及び第二端部２２０の下面（Ｚ軸方向マイナス側の面）に接続されて配置されることにしてもよい。また、リード３１０と第一端部２１０及び第二端部２２０とを接続（接合）する手法は、抵抗溶接、レーザ溶接、超音波接合等、どのような溶接が用いられてもよいし、ねじ締結やかしめ接合等の機械的接合等が用いられてもよい。
【００４９】
これにより、抵抗体３００は、ヒューズ部２３１における中間部２３０の導通状態が遮断された場合においても、第一端部２１０及び第二端部２２０の間の導通状態を維持する。つまり、抵抗体３００は、ヒューズ部２３１における導通状態が遮断された場合でも、蓄電素子１００ａの正極端子１２０及び蓄電素子１００ｂの負極端子１３０の間の導通状態を維持する。言い換えれば、抵抗体３００は、バスバー２００の第三導電部とは異なる位置に接続されており、ヒューズ部２３１における導通状態が遮断された場合においても、第一導電部及び第二導電部の間の導通状態を維持する。
【００５０】
なお、抵抗体３００は、蓄電装置１０に外部短絡等の事象により過大電流が流れる等によってヒューズ部２３１における中間部２３０の導通状態が遮断された場合に、蓄電装置１０が有する蓄電素子１００内の電気容量を比較的短い時間（数時間〜１日程度）で放電させることができる大きさの抵抗値を有している。また、抵抗体３００は、ヒューズ部２３１における導通状態が遮断され、抵抗体３００に電流が流れた場合でも、大きな発熱を生じず、かつ、蓄電装置１０の最大電圧でも破損しない定格電圧を有する抵抗体である。抵抗体３００の抵抗値及び定格電力（許容電力）は、蓄電装置１０の電気容量及び電圧等の大きさ、並びに、放電を完了させる時間等に応じて適宜決定されるが、抵抗体３００は、ヒューズ部２３１の抵抗値よりも著しく大きい抵抗値を有しているのが好ましい。例えば、抵抗体３００は、ヒューズ部２３１の１０の数乗倍程度の抵抗値、具体的には、１０９倍程度の抵抗値（例えば１ｋΩ、２Ｗ〜３Ｗ程度）を有しているのが好ましい。また、バスバー２００は、蓄電素子１００の外部に配置されているため、ヒューズ部２３１及び抵抗体３００についても、蓄電素子１００の外部に配置されている。
【００５１】
［４  効果の説明］
以上のように、本発明の実施の形態に係る蓄電装置１０によれば、蓄電素子１００の外部側の第一導電部及び第二導電部（２つの電極端子）の間の第三導電部（中間部２３０）の導通状態を遮断するヒューズ部２３１と、当該導通状態が遮断された場合でも第一導電部及び第二導電部の間の導通状態を維持する抵抗体３００と、を備えている。このように、ヒューズ部２３１によって導通状態が遮断された場合でも、抵抗体３００に電流が流れて蓄電素子１００の電気容量を放電させることができるため、安全性の向上を図ることができる。また、ヒューズ部２３１が蓄電素子１００の外部側に配置されるため、ヒューズ部２３１に起因して蓄電素子１００の内部で火花が発生するようなことを防ぐことができ、安全性の向上を図ることができる。
【００５２】
また、ヒューズ部２３１と抵抗体３００とが蓄電素子１００の外部側に配置されているため、既存の蓄電素子を改造することなく、容易に、安全性の向上を図ることができる。また、各々の蓄電素子１００にヒューズ部２３１及び抵抗体３００を設ける必要がなく、複数の蓄電素子１００に対して１対のヒューズ部２３１及び抵抗体３００を設ければよいため、蓄電装置１０を簡易に構成することができる。
【００５３】
また、第三導電部は、バスバー２００の一部であり、抵抗体３００は、バスバー２００の第三導電部とは異なる位置に接続されている。このように、バスバー２００にヒューズ部２３１を設け、かつ、バスバー２００に抵抗体３００を接続することで、簡易な構成で、安全性の向上を図ることができる。特に、バスバー２００とは異なる部材（蓄電素子１００の電極端子等）に抵抗体３００を接続する場合に比べ、蓄電装置１０の製造時等において、バスバー２００に抵抗体３００を接続した状態で取り扱うことができるため、蓄電装置１０の組立作業等を容易にすることができる。
【００５４】
また、抵抗体３００は、少なくとも一部がバスバー２００の凹部２４０内に配置されている。このように、バスバー２００の凹部２４０内に抵抗体３００を配置することで、省スペース化を図りつつ、安全性の向上を図ることができる。
【００５５】
［５  変形例の説明］
（変形例１）
次に、上記実施の形態の変形例１について、説明する。図４及び図５は、本実施の形態の変形例１に係るバスバー２０１、２０２及び抵抗体３００の構成を示す平面図である。具体的には、図４の（ａ）及び（ｂ）は、図３の（ａ）及び（ｂ）に対応する図である。また、図５は、図３の（ｂ）または図４の（ｂ）に対応する図である。
【００５６】
まず、図４に示すように、本変形例における蓄電装置は、上記実施の形態のバスバー２００に代えて、バスバー２０１を備えている。バスバー２０１は、上記実施の形態の平板状の中間部２３０に代えて、湾曲状の中間部２３０ａを有している。具体的には、中間部２３０ａは、バスバー２０１の第一端部２１０及び第二端部２２０がＹ軸方向及びＺ軸方向に移動可能なように設けられた湾曲部分（ヒンジ部）であり、第一端部２１０及び第二端部２２０からＺ軸方向プラス側に突出して設けられている。なお、中間部２３０ａには、上記実施の形態の中間部２３０と同様に、ヒューズ部２３１が設けられている。つまり、ヒューズ部２３１は、バスバー２０１のうちの、２つの蓄電素子１００の電極端子に接続される２つの部位（第一端部２１０及び第二端部２２０）の間に位置する湾曲状の部位に配置されている。
【００５７】
この構成により、中間部２３０ａのＺ軸方向マイナス側には、凹部２４１が形成されている。つまり、バスバー２０１には、上記実施の形態のようなＸ軸方向マイナス側に凹んだ凹部２４０に代えて、Ｚ軸方向プラス側に凹んだ凹部２４１が形成されている。
【００５８】
そして、この凹部２４１内に、抵抗体３００の少なくとも一部が配置されている。つまり、抵抗体３００は、少なくとも一部が、バスバー２０１の湾曲状の部位の内側に形成された凹部２４１内に配置されている。具体的には、抵抗体３００は、リード３１０が第一端部２１０及び第二端部２２０の下面（Ｚ軸方向マイナス側の面）に接続されて配置されている。なお、本実施の形態では、凹部２４１内に、抵抗体３００のＺ軸方向プラス側の部分が配置されているが、抵抗体３００の全部が、凹部２４１内に配置されることにしてもよい。その他の構成については、上記実施の形態と同様のため、詳細な説明は省略する。
【００５９】
また、図５に示すように、蓄電装置は、上述のバスバー２０１に代えて、バスバー２０２を備えていてもよい。バスバー２０２は、中間部２３０ａと第一端部２１０及び第二端部２２０との間に、階段状の段差部２１１及び２２１が形成された形状を有している。これにより、段差部２１１及び２２１のＺ軸方向マイナス側には、凹部２４２が形成されている。この構成により、凹部２４１及び２４２内に、抵抗体３００の少なくとも一部が配置されている。本実施の形態では、凹部２４１及び２４２内に、抵抗体３００の全部が配置されている。その他の構成については、上記実施の形態または上述のバスバー２０１での構成と同様のため、詳細な説明は省略する。
【００６０】
以上のように、本変形例に係る蓄電装置によれば、上記実施の形態と同様の効果を奏することができる。特に、バスバー２０１、２０２の湾曲状の部位（中間部２３０ａ）の内方に抵抗体３００を配置することで、簡易な構成で、省スペース化を図りつつ、安全性の向上を図ることができる。また、当該湾曲状の部位にヒューズ部２３１を形成することで、当該湾曲状の部位を撓みやすくすることができる。なお、バスバー２０１は、バスバー２０２に比べ、Ｚ軸方向における高さが高くなるのを抑制することができる。また、バスバー２０２は、バスバー２０１に比べ、湾曲状の部位の内方（凹部内）に抵抗体３００をより多く収容することができる。
【００６１】
（変形例２）
次に、上記実施の形態の変形例２について、説明する。図６は、本実施の形態の変形例２に係るバスバー２０３及び抵抗体３００の構成を示す平面図である。具体的には、図６の（ａ）及び（ｂ）は、図３の（ａ）及び（ｂ）に対応する図である。
【００６２】
図６に示すように、本変形例における蓄電装置は、上記実施の形態のバスバー２００及び抵抗体３００に代えて、バスバー２０３及び抵抗体３００を備えている。バスバー２０３は、上記実施の形態の平板状の中間部２３０に代えて、平板状の中間部２３０ｂを有している。ここで、中間部２３０ｂは、上記実施の形態のようなＸ軸方向マイナス側に凹んだ凹部２４０を形成する構成を有していない。つまり、バスバー２０３は、上記実施の形態のような凹部２４０を有していない。
【００６３】
この構成において、本変形例における抵抗体３００は、リード３１０を介して、一端が蓄電素子１００ａの正極端子１２０に接続され、他端が蓄電素子１００ｂの負極端子１３０に接続されている。つまり、抵抗体３００のＹ軸方向マイナス側に接続されたリード３１０のＹ軸方向マイナス側の端部が、蓄電素子１００ａの正極端子１２０の表面に溶接等で接続されている。また、抵抗体３００のＹ軸方向プラス側に接続されたリード３１０のＹ軸方向プラス側の端部が、蓄電素子１００ｂの負極端子１３０の表面に溶接等で接続されている。このように、抵抗体３００は、蓄電素子１００の電極端子に接続されている。
【００６４】
なお、本変形例では、上記実施の形態と同様に、蓄電素子１００ａの正極端子１２０が第一導電部の一例であり、蓄電素子１００ｂの負極端子１３０が第二導電部の一例であるが、上記実施の形態とは異なり、バスバー２０３が、第三導電部の一例である。ただし、上記実施の形態と同様に、中間部２３０ｂを、第三導電部の一例としてもよい。その他の構成については、上記実施の形態と同様のため、詳細な説明は省略する。
【００６５】
以上のように、本変形例に係る蓄電装置によれば、バスバー２０３にヒューズ部２３１を設け、かつ、蓄電素子１００の電極端子に抵抗体３００を接続することで、簡易な構成で、安全性の向上を図ることができるため、上記実施の形態と同様の効果を奏することができる。特に、バスバー２０３に抵抗体３００を接続するのが困難な場合でも、蓄電素子１００の電極端子に抵抗体３００を直接接続することで、別部材を用いる必要がないため、蓄電装置を簡易に構成することができる。
【００６６】
なお、本変形例に、上記変形例１の構成を適用してもよい。つまり、本変形例において、バスバー２０３の中間部２３０ｂを湾曲状に形成し、当該湾曲状の中間部２３０ｂの内方（凹部内）に、抵抗体３００を配置することにしてもよい。
【００６７】
（変形例３）
次に、上記実施の形態の変形例３について、説明する。図７は、本実施の形態の変形例３に係るバスバー２０３及び抵抗体３０１の構成を示す平面図である。具体的には、図７の（ａ）及び（ｂ）は、図３の（ａ）及び（ｂ）に対応する図である。
【００６８】
図７に示すように、本変形例における蓄電装置は、上記変形例２のバスバー２０３及び抵抗体３００に代えて、バスバー２０３及び抵抗体３０１を備えている。ここで、抵抗体３０１は、板状の抵抗体であり、バスバー２０３の中間部２３０ｂに重ねられて配置されている。つまり、バスバー２０３及び抵抗体３０１が接合されて、ヒューズ部２３１及び抵抗体３０１を有するクラッド材が構成されている。なお、抵抗体３０１は、省スペース化の観点から、バスバー２０３の下面（Ｚ軸方向マイナス側の面）に重ねられて配置されるのが好ましいが、バスバー２０３の上面（Ｚ軸方向プラス側の面）に重ねられて配置されてもよい。
【００６９】
このように、抵抗体３０１は、リードを介することなく、第一端部２１０及び第二端部２２０に接続されている。なお、本変形例では、上記実施の形態と同様に、蓄電素子１００ａの正極端子１２０が第一導電部の一例であり、蓄電素子１００ｂの負極端子１３０が第二導電部の一例であるが、第一端部２１０及び第二端部２２０を、第一導電部及び第二導電部の一例としてもよい。また、本変形例では、上記実施の形態と同様に、中間部２３０ｂ（抵抗体３０１が重ねられている部分）が、第三導電部の一例である。その他の構成については、上記実施の形態または変形例２と同様のため、詳細な説明は省略する。
【００７０】
以上のように、本変形例に係る蓄電装置によれば、上記実施の形態と同様の効果を奏することができる。特に、クラッド材を用いて、ヒューズ部２３１及び抵抗体３０１を有する構成を実現することができるため、部品点数を低減し、蓄電装置の製造を容易にすることができる。
【００７１】
なお、本変形例に、上記変形例１の構成を適用してもよい。つまり、本変形例において、バスバー２０３の中間部２３０ｂを湾曲状に形成し、当該湾曲状の中間部２３０ｂに、湾曲状の抵抗体３０１を重ねて配置することにしてもよい。
【００７２】
（変形例４）
次に、上記実施の形態の変形例４について、説明する。図８Ａ〜図８Ｄは、本実施の形態の変形例４に係るバスバー２００、５１０または６２０及び抵抗体３００を備える蓄電装置１１、１２、１３または１４の構成を示す概念図である。
【００７３】
まず、図８Ａに示すように、本変形例における蓄電装置１１は、蓄電素子１００ｂと蓄電素子１００ｃとの間に、ヒューズ部２３１を有するバスバー２００及び抵抗体３００を備えている。例えば、蓄電装置１１は、蓄電素子１００ｂの正極端子１２０と蓄電素子１００ｃの負極端子１３０との間に、バスバー２００及び抵抗体３００を備えている。このように、上記実施の形態におけるバスバー４００の位置に、バスバー２００及び抵抗体３００が配置されていてもよい。なお、バスバー２００及び抵抗体３００は、蓄電素子１００ｃと蓄電素子１００ｄとの間に配置されていてもよく、また、その他の蓄電素子１００同士の間に配置されていてもよい。
【００７４】
以上のように、本変形例に係る蓄電装置１１によれば、上記実施の形態と同様の効果を奏することができる。特に、バスバー２００及び抵抗体３００を、様々な位置に配置することができるため、蓄電装置１１の設計の自由度を向上させることができる。
【００７５】
また、図８Ｂに示すように、本変形例における蓄電装置１２は、蓄電素子１００ａと外部端子６１０との間に、ヒューズ部２３１と同様のヒューズ部５１１を有するバスバー５１０及び抵抗体３００を備えている。例えば、蓄電装置１２は、蓄電素子１００ａの負極端子１３０と負極側の外部端子６１０との間に、バスバー５１０及び抵抗体３００を備えている。このように、上記実施の形態におけるバスバー５００の位置に、バスバー２００と同様のバスバー５１０及び抵抗体３００が配置されていてもよい。なお、バスバー５１０及び抵抗体３００は、蓄電素子１００ｆの正極端子１２０と正極側の外部端子６１０との間に配置されていてもよい。
【００７６】
また、図８Ｃに示すように、本変形例における蓄電装置１３は、並列接続されている蓄電素子１００ａ及び蓄電素子１００ｂと外部端子６１０との間に、ヒューズ部５１１を有するバスバー５１０及び抵抗体３００を備えている。例えば、蓄電装置１３は、蓄電素子１００ａの負極端子１３０及び蓄電素子１００ｂの負極端子１３０と負極側の外部端子６１０との間に、バスバー５１０及び抵抗体３００を備えている。このように、蓄電素子１００が並列接続されている場合でも、主電流の経路に、バスバー５１０及び抵抗体３００が配置されていてもよい。なお、バスバー５１０及び抵抗体３００は、蓄電素子１００ｅの正極端子１２０及び蓄電素子１００ｆの正極端子１２０と正極側の外部端子６１０との間に配置されていてもよい。また、並列接続される蓄電素子１００の個数は、２個には限定されず、３個以上の蓄電素子１００が並列接続されていてもよい。
【００７７】
このように、本変形例における蓄電装置１２、１３では、蓄電素子１００の電極端子及び蓄電装置１２の外部端子６１０が、第一導電部及び第二導電部の一例である。つまり、第一導電部及び第二導電部の一方が、蓄電素子１００の電極端子であり、他方が、蓄電装置１２の外部端子６１０である。
【００７８】
以上のように、本変形例に係る蓄電装置１２、１３によれば、上記実施の形態と同様の効果を奏することができる。特に、蓄電素子１００の電極端子及び蓄電装置１０の外部端子６１０が、第一導電部及び第二導電部に対応するため、ヒューズ部５１１及び抵抗体３００は、蓄電素子１００の電極端子と蓄電装置１０の外部端子６１０との間に配置されることとなる。これにより、蓄電装置内の蓄電素子１００の配置または接続形態（直列接続、並列接続）等にかかわらず、蓄電装置を流れる主電流の経路に、ヒューズ部５１１及び抵抗体３００が配置されることとなるため、簡易な構成で、安全性の向上を図ることができる。
【００７９】
なお、蓄電装置１３において、バスバー５１０及び抵抗体３００は、並列接続されている蓄電素子群同士の間に配置されてもよい。例えば、並列接続されている蓄電素子１００ａ及び蓄電素子１００ｂと、並列接続されている蓄電素子１００ｃ及び蓄電素子１００ｄとの間に、バスバー５１０及び抵抗体３００が配置されてもよい。この場合には、並列接続されている蓄電素子群のうちのバスバー５１０及び抵抗体３００を挟む蓄電素子群が有する電極端子が、第一導電部及び第二導電部の一例となる。
【００８０】
また、図８Ｄに示すように、本変形例における蓄電装置１４は、蓄電装置１０ａの外部端子６１０と蓄電装置１０ｂの外部端子６１０との間に、ヒューズ部２３１と同様のヒューズ部６２１を有するバスバー６２０及び抵抗体３００を備えている。例えば、蓄電装置１４は、蓄電装置１０ａの正極側の外部端子６１０と蓄電装置１０ｂの負極側の外部端子６１０との間に、バスバー６２０及び抵抗体３００を備えている。このように、蓄電装置１０同士が接続される場合でも、主電流の経路に、バスバー６２０及び抵抗体３００が配置されていてもよい。なお、蓄電装置１４は、３以上の蓄電装置１０を有していてもよいし、複数の蓄電装置１０が並列接続されていてもよい。
【００８１】
このように、本変形例における蓄電装置１４では、隣り合う２つの蓄電装置１０の外部端子６１０が、第一導電部及び第二導電部の一例である。つまり、上記実施の形態及びその変形例における蓄電装置１０と蓄電素子１００との関係を、蓄電装置１４と蓄電装置１０との関係に適用することができる。さらに、蓄電装置１４が複数設けられてさらに大規模な蓄電装置を構成する場合には、蓄電装置１４と蓄電装置１０との関係を、当該大規模な蓄電装置と蓄電装置１４との関係に適用することができる。
【００８２】
以上のように、本変形例に係る蓄電装置１４によれば、上記実施の形態と同様の効果を奏することができる。特に、蓄電装置が大型化した場合でも、バスバー６２０及び抵抗体３００を配置することで、安全性の向上を図ることができる。
【００８３】
なお、本変形例に、上記変形例１〜３の構成を適用してもよい。つまり、本変形例において、バスバー２００、５１０または６２０に、上記変形例１〜３におけるバスバー２０１、２０２または２０３を適用してもよい。また、本変形例において、抵抗体３００に、抵抗体３０１の構成を適用してもよい。
【００８４】
（その他の変形例）
以上、本発明の実施の形態及びその変形例に係る蓄電装置について説明したが、本発明は、この実施の形態及びその変形例に限定されるものではない。つまり、今回開示された実施の形態及びその変形例は、全ての点で例示であって制限的なものではなく、本発明の範囲は、特許請求の範囲によって示され、特許請求の範囲と均等の意味及び範囲内での全ての変更が含まれる。
【００８５】
例えば、上記実施の形態及びその変形例では、第一導電部及び第二導電部として、蓄電素子１００の電極端子や蓄電装置１０の外部端子６１０等を例示したが、これには限定されない。つまり、第一導電部及び第二導電部は、蓄電装置の主電流の流れる経路に配置された導電部材の全部または一部であればよく、当該経路上のどのような部位を第一導電部及び第二導電部と定義してもよい。また、第三導電部についても同様に、第一導電部及び第二導電部の間のヒューズ部が設けられた部位であれば、どのような部位を第三導電部と定義してもよい。
【００８６】
また、上記実施の形態及びその変形例では、蓄電装置は、ヒューズ部を有するバスバー及び抵抗体を１対しか備えていないこととした。しかし、蓄電装置は、複数対の当該バスバー及び抵抗体を備えていることにしてもよい。この場合、当該バスバー及び抵抗体は、上記変形例４（図８Ａ〜図８Ｄ）において示した場所等、任意の場所に設置可能である。このように、複数の抵抗体を配置することで、比較的小さな抵抗値の抵抗体を用いることができる。
【００８７】
また、上記実施の形態及びその変形例では、ヒューズ部を有する１つのバスバーに対し、１つの抵抗体が配置されていることとした。しかし、１つの当該バスバーに対し、複数の抵抗体が配置されていることにしてもよいし、複数の当該バスバーに対し、１つの抵抗体が配置されていることにしてもよい。１つの当該バスバーに対して複数の抵抗体を配置する場合には、比較的小さな抵抗値の抵抗体を用いることができる。また、複数の当該バスバーに対して１つの抵抗体を配置する場合には、抵抗体の数を低減し、蓄電装置の構成を簡素化することができる。
【００８８】
また、上記実施の形態及びその変形例では、ヒューズ部は、バスバーの断面積を小さくすることで構成されることとした。しかし、ヒューズ部として、市販のヒューズが用いられてもよいし、その他、どのような構成のヒューズが用いられてもよい。
【００８９】
また、上記実施の形態及び上記変形例を任意に組み合わせて構築される形態も、本発明の範囲内に含まれる。
【００９０】
また、本発明は、このような蓄電装置として実現することができるだけでなく、ヒューズ部が設けられた第三導電部及び抵抗体としても実現することができる。
【産業上の利用可能性】
【００９１】
本発明は、リチウムイオン二次電池などの蓄電素子を備えた蓄電装置等に適用できる。
【符号の説明】
【００９２】
１０、１０ａ、１０ｂ、１１、１２、１３、１４  蓄電装置
１００、１００ａ〜１００ｆ  蓄電素子
１１０  容器
１１１  容器本体
１１２  蓋体
１２０  正極端子
１３０  負極端子
１４０  正極集電体
１５０  負極集電体
１６０  電極体
２００、２０１、２０２、２０３、４００、５００、５１０、６２０  バスバー
２１０  第一端部
２１１、２２１  段差部
２２０  第二端部
２３０、２３０ａ、２３０ｂ  中間部
２３１、５１１、６２１  ヒューズ部
２４０、２４１、２４２  凹部
３００、３０１  抵抗体
３１０  リード
６００  外装体
６１０  外部端子
【図１】
2020053152.tif 000003
【図２】
2020053152.tif 000004
【図３】
2020053152.tif 000005
【図４】
2020053152.tif 000006
【図５】
2020053152.tif 000007
【図６】
2020053152.tif 000008
【図７】
2020053152.tif 000009
【図８Ａ】
2020053152.tif 000010
【図８Ｂ】
2020053152.tif 000011
【図８Ｃ】
2020053152.tif 000012
【図８Ｄ】
2020053152.tif 000013